(57)【要約】【課題】遊技者に向けて多様で詳細な識別情報を表示する。【解決手段】遊技盤面１１ａの後方には縦横方向へ配列されて点滅制御が可能な１群のドットＬＥＤをそれぞれ有する複数個のドットマトリックス図柄表示体７７を横方向へ広範囲にわたって配列して横長状の図柄表示体列８０を形成し、この図柄表示体列８０によって各種の識別情報を流れ表示する。【選択図】図１
2005058795.tif 000002
【特許請求の範囲】
【請求項１】
縦横方向へ配列されて点滅制御が可能な１群の図柄表示素子をそれぞれ有する複数個の図柄表示体が遊技盤面の後方で横方向へ広範囲にわたって配列されて横長状に形成された図柄表示体列を設けたことを特徴とするパチンコ機における表示装置。
【発明の詳細な説明】
【技術分野】
【０００１】
この発明はパチンコ機において、組合せ図柄やゲーム情報等の各種の識別情報を映像で表示するために遊技盤に装着される表示装置に関する。
【背景技術】
【０００２】
変動表示後停止した図柄の組合せが予め規定された条件通りとなったときに入賞し易い状態を出現させるようにしたパチンコ機では複数の図柄を個々に変動表示する図柄表示灯が取付けられている。
【発明の開示】
【発明が解決しようとする課題】
【０００３】
本発明の課題はパチンコ機において、図柄や識別情報等の多様化が可能な表示装置を提供することである。
【課題を解決するための手段】
【０００４】
本発明のパチンコ機における表示装置は縦横方向へ配列されて点滅制御が可能な１群の図柄表示素子をそれぞれ有する複数個の図柄表示体が遊技盤面の後方で横方向へ広範囲にわたって配列されて横長状に形成された図柄表示体列を設けた構成を有する。
【０００５】
点滅制御が可能な１群の図柄表示素子をそれぞれ有する複数個の図柄表示体が横方向へ広範囲にわたって配列された図柄表示体列によって、各図柄表示体が遊技者に向けて表示する映像の範囲を横方向へ延長し、図柄表示体列による表示内容を多様化する。
【発明の効果】
【０００６】
本発明は縦横方向へ配列されて点滅制御が可能な１群の図柄表示素子をそれぞれ有する複数個の図柄表示体が遊技盤面の後方で横方向へ広範囲にわたって配列されて横長状に形成された図柄表示体列を設けたことによって、図柄表示灯体が遊技者に向けて表示する各種の識別情報を遊技者に対して明確かつ詳細に伝達することができ、また、図柄表示体列が遊技者に提供する情報量を増大させかつ情報内容を多様化することができる。従って、図柄表示体列によってゲームの進行を円滑化および多様化したり、ゲーム内容を高度化することができる。
【発明を実施するための最良の形態】
【０００７】
次に、本発明の一実施例を図面に従って説明する。
パチンコ機の遊技盤１１の遊技盤面１１ａにはその中央部付近に配設された表示装置Ｈと、この表示装置Ｈの直下に配設されて中始動口５６を有し、表示灯および中始動口入賞検出スイッチ４４が組込まれた始動口付役物３と、この始動口付役物３の直下に配設された入賞装置２と、この入賞装置２の両側斜め上方にそれぞれ配設された左右チューリップ式役物４，４とが装着されている。
【０００８】
入賞装置２の中央部には外扉５０によって開閉される横長状の大入賞口５１が開口されるとともに、大入賞口５１の中央部の後方には開放中の大入賞口５１内の特定位置へ落入した入賞球が通り抜ける特典球通し口７０が開口されている。この特典球通し口７０は大入賞口５１の開放中最初に入賞球が通り抜けた以後は特典球通し口７０を開閉する中扉によって次回の大入賞口５１の開放まで閉鎖される。
【０００９】
入賞装置２には大入賞口５１の両側に配設された左右の始動口５６，５６が開口されるとともに、入賞装置２にはその下端中央部に配設された大入賞口入賞数表示ＬＥＤ５３および連続回数表示ＬＥＤ５４と、左右始動口入賞検出スイッチ４５，４５と、大入賞口開放ソレノイド４６と、特典球通し口通過検出スイッチ４７と、大入賞口入賞検出スイッチ４８とが組付けられている。
【００１０】
表示装置Ｈにおいて、遊技盤面１１ａにビス着されて合成樹脂材で中空状に成形されたベース枠８の正面形状はその中央部が上下方向へ拡張されてその左右部が横方向へ延出された形状に形成され、左右部の上下寸法が中央部の上下寸法より短縮されている。
【００１１】
ベース枠８には遊技盤面１１ａの後方へ水平状に延出され、中央部付近に上下へ若干凸曲された凸曲部１２ａを有する上板１２と、この上板１２の下方に並設されて中央部付近に下方へ凹曲された凹曲部１３ａを有する下板１３とが形成され、上板１２と下板１３との間には中央部付近が上下方へ拡張された前方開放の空間部が形成されている。上板１２の前端縁の左右部および下板１３の前端縁には遊技盤面１１ａに添接される枠板１５が直交状に突出形成されている。
【００１２】
上板１２および下板１３の後端縁の中央部付近はそれぞれ遊技盤面１１ａと並行に形成される一方、上板１２および下板１３の後端縁の左右部はその奥行寸法が内方から外方へ漸減するようにそれぞれ傾斜状に形成されている。
【００１３】
上板１２の凸曲部１２ａの前端縁には遊技盤面１１ａに添接されたほぼ三角形状の中板１４が垂立状態で一体状に連接され、この中板１４の上端には天入賞口２４が開設されるとともに、中板１４には天入賞口２４の下方に隣設された上開口部１４ａと、この上開口部１４ａの下方に隣設された下開口部１４ｂとがそれぞれ横長状に開口され、下開口部１４ｂ内には中板１４の下端にビス着されて裏面に多数の微細な凹凸が形成された下ランプレンズ２６が嵌め込まれている。
【００１４】
中板１４の前面の上部には前方へ突出されて中央部付近の上面が後方へ下傾して天入賞口２４の下縁に整合されかつ左右部の上面が内方へ下傾するように形成された上樋板２８の後端縁が接合されるとともに、中板１４の前面の下部には前方へ突出されて正面形状が円弧状に湾曲された下樋板２９の後端縁が接合され、両樋板２９の後端縁が接合され、両樋板２８，２９の前端面には中板１４の前方に垂立されて中央部付近に横長状で透明な透光部が形成された前飾り板３０がビス着されている。
【００１５】
下板１３の凹曲部１３ａの後端縁には後飾り板３１が連接され、この後飾り板３１の上部には横一例に配列された４つの透光孔３１ａが貫設されている。
【００１６】
上板１２の凸曲部１２ａの後端縁と、後飾り板３１の上端縁との間には横長の方形枠状の窓枠２０が形成され、この窓枠２０内には遊技盤面１１ａの後方に遊技盤面１１ａと並行に垂立されて半透明の着色合成樹脂板で横長の方形板状に形成された中窓板２１が前方へ抜け止めされて嵌め込まれている。
【００１７】
上板１２の後端縁の左右部および下板１３の後端縁の左右部には透明の合成樹脂板で横長の方形状に形成されて中窓板２１の両側方に左右対称状に隣設された左右１対の横窓板２２の上下端縁がそれぞれ接合され、両横窓板２２の上下幅は中窓板２１の上下幅より短縮されている。
【００１８】
両横窓板２２は遊技盤面１１ａとの間隔がその内端から外端へ漸減するようにそれぞれ遊技盤面１１ａに対して傾斜状に設置されている。両横窓板２２の外端縁は枠板１５の左右端部の裏面に垂直状に接合された両端板１９の後部にそれぞれ接合され、両横窓板２２の外端部の後下端には円筒状でランプ１７が挿入されたランプ取付部２２ａがそれぞれ形成されている。
【００１９】
中板１４の裏面の上端には天入賞口２４内を通過した遊技球を後方へ誘導する後樋板２３が連接され、この後樋板２３の上面は後方へ下傾した状態で前記上樋板２８の上面に一連状に整合されている。
【００２０】
中板１４の裏面の中央部および下部には上開口部１４ａの両側縁および上縁と、下開口部１４ｂの両側縁付近とにそれぞれ沿って形成されて上板１２の凸曲部１２ａの上面の前部に両下端縁が接合されたランプカバー１６の前端縁が接合されている。
【００２１】
ランプカバー１６内の上部には中板１４の上開口部１４ａ内に嵌め込まれて裏面に多数の微細な凹凸が形成された前板を有し、下ランプレンズ２６の上方に隣設された上ランプレンズ２７が装入されている。
【００２２】
ランプカバー１６と、上板１２の凸曲部１２ａの後端縁上に一体状に垂立された後板３３との間にはランプカバー１６にビス着されたランプ取付板３２の下部が装入され、このランプ取付板３２の上端には天入賞口２４内を通過して後樋板２３上を転動した遊技球を一側方へ誘導する樋部３２ａが形成されるとともに、ランプ取付板３２の中央部付近には前記上ランプレンズ２７内に突入された左右１対のランプ１８が挿入され、ランプ取付板３２の下端の前面に取付けられた横長状のランプ基板３４には下ランプレンズ２６の後方に配設された左右１対のランプ１９が取付けられている。
【００２３】
両ランプ１８と上ランプレンズ２７とによって１対の表示灯が形成され、両ランプ１９と下ランプレンズ２６とによって１対の表示灯が形成されている。
【００２４】
ベース枠８の枠板１５の左右端部の前面上部には前方へ突出されて正面形状がほぼＵ形状に湾曲された左右１対の球受樋３７の後端縁がそれぞれ接合されている。
【００２５】
枠板１５の左右端部の前面下部には裏面に多数の微細な凹凸が形成されて前記ランプ１７を覆蓋する上方および後方開放の横ランプレンズ３８がそれぞれ両球受樋３７の下方に隣接してビス着され、この両横ランプレンズ３８と、両ランプ１７とによって１対の表示灯が形成されている。
【００２６】
ベース枠８の枠板１５の左右端部付近の前面上部には後端面の上端付近が枠板１５の前面に密接された状態で前方へ延出された中空状の障害板４０と、この障害板４０の前端面の上部に接合されて枠板１５の前方に垂立された前板４１とが一体状に形成された仕切片３９がそれぞれ取付けられている。
【００２７】
仕切板３９の障害板４０はこの障害板４０に遊技球が衝突して遊技球の転落態様が変化するように遊技盤面１１ａの若干前方に急幻配に傾斜して設置され、この障害板４０の内側面および外側面には上外方から下内方へ円弧状に湾曲された内外１対の球衝突面４０ａが並行状に形成され、障害板４０と球受樋３７との間、および、障害板４０と下樋板２９の下端縁との間にはそれぞれ遊技球の転落通路が形成されている。
【００２８】
両仕切片３９の前板４１の外端部には球受樋３７の前端面にビス着された前蓋部４１ａがそれぞれ形成され、前蓋部４１ａの上端縁と、球受樋３７の両上端縁と、この両上端縁間に形成された枠板１５の仕切縁１５ａとの間には左右の通過口４２がそれぞれ開口されている。
【００２９】
ベース枠８の左右端部には球受樋３７内の上部に挿入された検出口４３ａを有し、通過口４２内へ落入した遊技球を検出する左右の通過球検出スイッチ４３がそれぞれ取付けられ、この両通過球検出スイッチ４３は効果音およびランプのための検出信号を出力する。
【００３０】
左右の通過口４２内へ落入した遊技球は通過球検出スイッチ４３で検出されて下板１３の端部上へ転落し、下板１３上を内方へ転動して凹曲部１３ａ内へ転落し、凹曲部１３ａの底板上を前方へ転動して再び遊技盤面１１ａへ転落する。
【００３１】
ベース枠８の後側には後板３３の裏面と、後飾板３１の裏面と、左右窓板２２の外端付近裏面とに突設された各取付棒７５の後端面にそれぞれビス着されて前後面にプリント回路が形成された薄板状の表示体基板７６が垂直状に取付けられている。
【００３２】
表示体基板７６の左右方向の中央部付近には上部が後板３３に近似した形状で、上下方向の中央部が中窓板２１に近似した形状で、下部が後飾り板３１に近似した形状となった拡張部７６ａが形成され、この拡張部７６ａは後板３３，中窓板２１および後飾り板３１の若干後方に遊技盤面１１ａと並行に設置されている。
【００３３】
表示体基板７６の左右部には基端部が拡張部７６ａの両側縁の中央部付近に連接されて外端部が両側方の若干前方へそれぞれ延出された左右１対の帯板状の延出部７６ｂ，７６ｂが左右対称状に形成され、この延出部７６ｂは両横窓板２２の若干後方に横窓板２２と並行で遊技盤面１１ａに対して内向き状に傾斜して設置されている。
【００３４】
表示体基板７６の拡張部７６ａの前面の上下方向中央部には縦横方向へ配列されて表示基板７６のプリント回路に接続され、各種図柄の点灯表示が可能でパルス信号によって点滅制御される１群（本例では７×５個）の単体のドットＬＥＤ（発光ダイオード）７８で構成されて、横一列に配列された３個のドットマドリックス図柄表示体７７が取付けられ、この３個のドットマドリックス図柄表示体７７は中窓板２１の若干後方に設置されている。
【００３５】
表示体基板７６の拡張部７６ａの前面の下部には横一列に配列されてプリント回路に接続された４個の記憶数表示ＬＥＤ７９〜７９が取付けられ、この各記憶数表示ＬＥＤ７９の発光部は後飾り板３１の各透光孔３１ａ内にそれぞれ突入されている。
【００３６】
表示体基板７６の両延出部７６ｂの前面には縦横方向へ配列されてプリント回路に接続され、各種図柄の点灯表示が可能でパルス信号によって点滅制御される１群（本例では７×５個）のドットＬＥＤ７８を有し、横一列に配列された各３個のドットマトリックス表示灯７７がそれぞれ取付けられ、この３個のドットマトリックス図柄表示体７７は、両横窓板２２の若干後方に横窓板２２と並行で若干内向きに傾斜して３個づつ設置されている。中央部の３個のドットマトリックス図柄表示体７７は他の６個のドットマトリックス図柄表示体７７のドットＬＥＤ７８より寸法が大きいドットＬＥＤ７８を組合わせて構成され、しかも、寸法が大きいドットＬＥＤ７８の発光色は赤色で、その他のドットＬＥＤ７８の発光色は緑色と設定されている。
【００３７】
表示体基板７６の前側で遊技盤面１１ａの後方には中央部の３個のドットマトリックス図柄表示体７７と、その両側の各３個のドットマトリックス図柄表示体７７とが広範囲にわたって横一列に配列され、この９個のドットマトリックス図柄表示体７７によって流れ表示が可能な図柄表示体列８０が遊技盤面１１ａに沿って横長状に形成されている。
【００３８】
図柄表示体列８０は遊技球が各始動口５６内へ落入したときに図柄の変動表示を開始するように設定され、本例では９個のドットマトリックス図柄表示体７７のうち、左端から４個目までの４個のドットマトリックス図柄表示体７７を１組とする４個１組のドットマトリックス図柄表示体７７が左特別図柄を左方から右方へ順に流れ表示し、中央部の３個のドットマトリックス図柄表示体７７のうちの中央部のドットマトリックス図柄表示体７７が中特別図柄を上方から下方へ１個づつ順に流れ表示し、右端から４個目までの４個のドットマトリックス図柄表示体７７を１組とする４個１組のドットマトリックス図柄表示体７７が右特別図柄を左方から右方へ順に流れ表示するように設定され、各ドットマトリックス図柄表示体７７は０，１，２，３，４，５，６，７，８，９，Ｌ，Ｕ，Ｃ，Ｋ，Ｙの１５種類の図柄をそれぞれ変動表示する。
【００３９】
中央部の１個のドットマトリックス図柄表示体７７では１５種類の中特別図柄が０→１→２→３→４→５→６→７→８→９→Ｌ→Ｕ→Ｃ→Ｋ→Ｙの順に縦方向へ流れ表示される。
【００４０】
左方の４個のドットマトリックス図柄表示体７７では１５種類の左特別図柄が３２１０→４３２１→５４３２→６５４３→７６５４→８７６５→９８７６→Ｌ９８７→ＵＬ９８→ＣＵＬ９→ＫＣＵＬ→ＹＫＣＵ→０ＹＫＣ→１０ＹＫ→２１０Ｙの順に横方向へ流れ表示される。
【００４１】
右方の４個のドットマトリックス図柄表示体７７では１５種類の右特別図柄が０１２３→１２３４→２３４５→３４５６→４５６７→５６７８→６７８９→７８９Ｌ→８９ＬＵ→９ＬＵＣ→ＬＵＣＫ→ＵＣＫＹ→ＣＫＹ０→Ｙ０１２の順に横方向へ流れ表示される。
なお、後述のように図柄表示体列８０には各特別図柄とは別にゲーム情報などの識別情報が全体にわたって左方から右方へ流れ表示される。
【００４２】
表示体基板７６の拡張部７６ａの後方にはこの拡張部７６ａとほぼ等しい外形を有し、プリント回路が裏面に形成された中継基板８２が間隔を隔てて垂立されている。この中継基板８２はその前面の上下部と、表示体基板７６の拡張部７６ａの裏面の上下部とにわたってそれぞれ取付けられて表示体基板７６のプリント回路と中継基板８２のプリント回路とを接続する上下１対のコネクタ８３によって表示体基板７６に分離可能に結合されている。
【００４３】
中継基板８２は、遊技盤１１の裏側に組付けられてＣＰＵ，ＲＯＭ，ＲＡＭ，クロック回路，リセット回路とによって構成されかつゲームの諸機能をコントロールする中央制御基板に接続され、中継基板８２の裏面にはこの中継基板８２および表示体基板７６と、中央制御基板とを、多数本のリード線が近接して一体状に並列した帯状のマルチリード線帯８５を介して接続する横長状の集合コネクタの差込みプラグ８４が取付けられている。
【００４４】
差込みプラグ８４は上下開放の横長箱形状の器体８４ａと、この器体８４ａの底板に貫挿されて横２列に配列された多数本の端子８４ｂと、器体８４ａの左右端部にそれぞれ内外方向への揺動可能にピン着された左右１対の押し上げレバ８４ｃとを備え、差込みプラグ８４にはマルチリード線帯８５の端部に接続されたマルチプラグ受け８６が脱離可能に結合される。
【００４５】
中央制御基板のＣＰＵに接続されたスイッチ検出部には中始動口入賞検出スイッチ４４と、左右の始動口入賞検出スイッチ４５と、特定球通し口通過検出スイッチ４７と、大入賞口入賞検出スイッチ４８と、左右の効果音出力スイッチ４３と、賞品球払出し検出スイッチとが並列に接続され、この各スイッチの出力信号がＣＰＵに入力される。
【００４６】
また、ＣＰＵにはワイドビジョン表示灯列８０，大入賞口入賞数表示ＬＥＤ５３，連続回数表示ＬＥＤ５４，記憶数表示ＬＥＤ７９に信号を出力する表示回路と、外部出力を制御する外部出力制御部と、大入賞口開放ソレノイド４６を駆動するソレノイド駆動回路と、５組の表示灯を点灯制御する５つの表示灯駆動回路と、払い出し球数を切換える右昇降板駆動ソレノイドを駆動するソレノイド駆動回路と、不正防止スイッチを作動させるリレー駆動回路と、入賞時などにスピーカに信号を出力する効果音出力回路とが接続されている。
【００４７】
図柄表示体列８０の図柄の表示態様について説明すると、パチンコ機の電源投入時には図柄表示体列８０の左特別図柄が３２１０，中特別図柄が０，右特別図柄が０１２３をそれぞれ表示して静止し、遊技球が中始動口５６，左右始動口５６内へ落入した時点で左，中，右特別図柄が同時に変動を開始する。各始動口５６への入賞の記憶は最高４個まで記憶され、その個数が記憶数表示ＬＥＤ７９で表示される。
【００４８】
各特別図柄停止時の図柄をランダムにするために１５段階（０〜１４）の中特別図柄データ，左特別図柄データおよび右特別図柄データがそれぞれ設定され、また、各特別図柄データは変動停止時に表示する特別図柄を決定するために前回の特別図柄データ＋１，２，３，４にそれぞれ０．００４秒毎に切替えられる。但し、加算値が４のときは０を加算した値となり、計算値が１５以上のときは１５を減算した値となる。
【００４９】
中，左，右特別図柄データはその値が大当たりとなる組合せとなった場合には中，左，右特別大当たり図柄データとして記憶され、その値が大当たりとなる組合せ以外の組合せとなった場合には中，左，右特別はずれ図柄データとして記憶される。
【００５０】
また、大当たりの判定に使用するために２０５（０〜２０４）の大当たり用乱数が使用され、この大当たり用乱数の値は０から順に０．００４秒毎に１が加算され、２０４になると０に戻り、各始動口５６内への入賞時の大当たり用乱数の値が記憶される。
【００５１】
中特別図柄は０．０３２秒／１図柄（０．４８０秒／１周期）の一定の移行速度で変動し、変動開始後５．４４０秒間変動して停止する。
【００５２】
中特別図柄は変動を開始してから、５．４４０秒経過した時点で、表１に示す中特別停止図柄データの値に対応する図柄に切替えられ、その図柄が中特別図柄の停止図柄となる。
（表１）
┌───┬─┬─┬─┬─┬─┬─┬─┬─┬─┬─┬─┬─┬─┬─┬─┐
│中特別│  │  │  │  │  │  │  │  │  │  │  │  │  │  │  │
│停止図│  │  │  │  │  │  │  │  │  │  │  │  │  │  │  │
│柄デー│0 │1 │2 │3 │4 │5 │6 │7 │8 │ 9│10│11│12│13│14│
│タの値│  │  │  │  │  │  │  │  │  │  │  │  │  │  │  │
├───┼─┼─┼─┼─┼─┼─┼─┼─┼─┼─┼─┼─┼─┼─┼─┤
│確定す│  │  │  │  │  │  │  │  │  │  │  │  │  │  │  │
│る中特│0 │1 │2 │3 │4 │5 │6 │7 │8 │9 │Ｌ│Ｕ│Ｃ│Ｋ│Ｙ│
│別図柄│  │  │  │  │  │  │  │  │  │  │  │  │  │  │  │
└───┴─┴─┴─┴─┴─┴─┴─┴─┴─┴─┴─┴─┴─┴─┴─┘
中特別図柄が停止した時点で始動口５６内への入賞時に記憶した大当たり用乱数の値（０〜２０４）を読み出し、その値が７であれば左，中，右特別大当たりデータが左，中，右特別停止データに格絡され、その値が７以外であれば左，中，右特別はずれ図柄データが左，中，右特別停止データに格絡される。
【００５３】
左特別図柄は変動開始後０．０８０秒／１図柄（１．２００秒／１周期）の移行速度で５．４４０秒間高速変動してから、０．３２０秒／１図柄（４．８００秒／１周期）の移行速度でＡ秒間（Ａ＝０．８９６〜２．１７６）低速変動して停止する。
【００５４】
左特別図柄が高速変動を開始してから５．４４０秒経過した時点で、左特別図柄は高速変動時の図柄とは無関係に停止図柄が表２に示す左特別停止図柄データに対応する図柄となるように切替えられて低速変動を開始する。
【００５５】
（表２）
┌───┬──┬──┬──┬──┬──┬──┬──┬──┐
│左特別│    │    │    │    │    │    │    │    │
│停止図│    │    │    │    │    │    │    │    │
│柄デー│ 0  │ 1  │ 2  │ 3  │ 4  │ 5  │ 6  │ 7  │
│タの値│    │    │    │    │    │    │    │    │
├───┼──┼──┼──┼──┼──┼──┼──┼──┤
│確定す│    │    │    │    │    │    │    │    │
│る左特│3210│4321│5432│6543│7654│8765│9876│L987│
│別図柄│    │    │    │    │    │    │    │    │
└───┴──┴──┴──┴──┴──┴──┴──┴──┘
┌───────┬──┬──┬──┬──┬──┬──┬──┐
│左特別停止図柄│    │    │    │    │    │    │    │
│データの値    │  ８│  ９│１０│１１│１２│１３│１４│
├───────┼──┼──┼──┼──┼──┼──┼──┤
│確定する左    │    │    │    │    │    │    │    │
│特別図柄      │UL98│CUL9│KCUL│YKCU│0YKC│10YK│210Y│
└───────┴──┴──┴──┴──┴──┴──┴──┘
【００５６】
また、左特別図柄をランダムにするために表３に示す左図柄変動時間用乱数が設けられ、左特別図柄は高速変動終了時の図柄とは無関係に、０〜４の５段階の左図柄変動時間用乱数の値に対応する図柄数分だけ停止図柄より前の図柄に切り替えられる。左図柄変動時間用乱数は大当たり用乱数が０に戻る毎に１づつ加算される。
【００５７】
（表３）
┌───────┬───┬───┬───┬───┬───┐
│左図柄変動    │      │      │      │      │      │
│時間用乱数    │  ０  │  １  │  ２  │  ３  │  ４  │
├───────┼───┼───┼───┼───┼───┤
│セットする変動│      │      │      │      │      │
│時間（秒）    │1.984 │1.664 │1.344 │1.024 │0.704 │
├───────┼───┼───┼───┼───┼───┤
│低速変動時の  │      │      │      │      │      │
│変動図柄数    │  ７  │  ６  │  ５  │  ４  │  ３  │
└───────┴───┴───┴───┴───┴───┘
【００５８】
左特別図柄の変動時間は０．３２０秒間隔で６．３３６秒から７．６１６秒までの５通りのうちの何れかとなる。
【００５９】
右特別図柄は変動開始後０．０８秒／１図柄（１．２００秒／１周期）の移行速度で６．４８０〜７．７６０秒間高速変動してから、０．３２０秒／１図柄（４．８００秒／１周期）の移行速度でＡ秒間低速変動する。
【００６０】
右特別図柄の低速変動時間Ａは中，左特別図柄が大当たりとなる条件を満たしていない場合には０．３０４秒となり、この場合には右特別図柄は６．４８０〜７．７６０秒経過した時点で高速変動時の図柄と無関係に右特別停止図柄データの値に対応して停止図柄が表４のとおりとなるように確定図柄の１図柄前の図柄に切替えられて低速変動を開始し、０．３０４秒間低速変動して停止し、そのＣ秒（Ｃ＝０．６００）後に停止図柄の判定が行われる。
【００６１】
（表４）
┌───┬──┬──┬──┬──┬──┬──┬──┬──┐
│右特別│    │    │    │    │    │    │    │    │
│停止図│    │    │    │    │    │    │    │    │
│柄デー│ 0  │ 1  │ 2  │ 3  │ 4  │ 5  │ 6  │ 7  │
│タの値│    │    │    │    │    │    │    │    │
├───┼──┼──┼──┼──┼──┼──┼──┼──┤
│確定す│    │    │    │    │    │    │    │    │
│る右特│0123│1234│2345│3456│4567│5678│6789│789L│
│別図柄│    │    │    │    │    │    │    │    │
└───┴──┴──┴──┴──┴──┴──┴──┴──┘
┌───────┬──┬──┬──┬──┬──┬──┬──┐
│右特別停止図柄│    │    │    │    │    │    │    │
│データの値    │  ８│  ９│１０│１１│１２│１３│１４│
├───────┼──┼──┼──┼──┼──┼──┼──┤
│確定する      │    │    │    │    │    │    │    │
│特別図柄      │89LU│9LUC│LUCK│UCKY│CKY0│KY01│Y012│
└───────┴──┴──┴──┴──┴──┴──┴──┘
【００６２】
中，左特別図柄が大当たりの条件を満たしている場合には右特別図柄の低速変動時間Ａは２．２２４〜１１．５０４秒となり、この場合には右特別図柄は変動を開始してから６．４８０〜７．７６０秒経過した時点で右特別図柄を８の図柄に差換え、右特別図柄をランダムにするために設定された２段階の右図柄変動時間用乱数（０，１）の値が０のときは表５に示す右特別停止図柄データの値に対応する変動時間（秒）がセットされて右特別図柄が低速変動を開始し、右図板変動時間用乱数の値が１のときは表６に示す右特別停止図柄データの値に対応する変動時間（秒）がセットされて右特別図柄が低速変動を開始し、２．２２４〜１１．５０４秒間低速変動してから停止し、そのＣ秒後に停止図柄の判定が行われる。
【００６３】
（表５）
┌───┬──-┬──-┬──-┬──-┬──-┬──-┬──-┬──-┐
│右特別│     │     │     │     │     │     │     │     │
│停止図│     │     │     │     │     │     │     │     │
│柄デー│  0  │  1  │  2  │  3  │  4  │  5  │  6  │  7  │
│タの値│     │     │     │     │     │     │     │     │
├───┼──-┼──-┼──-┼──-┼──-┼──-┼──-┼──-┤
│セット│     │     │     │     │     │     │     │     │
│する変│6.784│7.104│7.424│7.744│8.064│8.384│8.704│9.024│
│動時間│     │     │     │     │     │     │     │     │
├───┼──-┼──-┼──-┼──-┼──-┼──-┼──-┼──-┤
│低速変│     │     │     │     │     │     │     │     │
│動時の│     │     │     │     │     │     │     │     │
│図柄変│  22 │  23 │  24 │  25 │  26 │  27 │  28 │  29 │
│動数  │     │     │     │     │     │     │     │     │
└───┴──-┴──-┴──-┴──-┴──-┴──-┴──-┴──-┘
┌───┬──-┬──-┬──-┬───┬───┬───┬───┐
│右特別│     │     │     │      │      │      │      │
│停止図│     │     │     │      │      │      │      │
│柄デー│  8  │  9  │  10 │  11  │  12  │  13  │  14  │
│タの値│     │     │     │      │      │      │      │
├───┼──-┼──-┼──-┼───┼───┼───┼───┤
│セット│     │     │     │      │      │      │      │
│する変│9.344│9.664│9.984│10.304│10.624│10.944│11.264│
│動時間│     │     │     │      │      │      │      │
├───┼──-┼──-┼──-┼───┼───┼───┼───┤
│低速変│     │     │     │      │      │      │      │
│動時の│     │     │     │      │      │      │      │
│図柄変│  30 │  31 │  32 │  33  │  34  │  35  │  36  │
│動数  │     │     │     │      │      │      │      │
└───┴──-┴──-┴──-┴───┴───┴───┴───┘
【００６４】
（表６）
┌───┬──-┬──-┬──-┬──-┬──-┬──-┬──-┬──-┐
│右特別│     │     │     │     │     │     │     │     │
│停止図│     │     │     │     │     │     │     │     │
│柄デー│  0  │  1  │  2  │  3  │  4  │  5  │  6  │  7  │
│タの値│     │     │     │     │     │     │     │     │
├───┼──-┼──-┼──-┼──-┼──-┼──-┼──-┼──-┤
│セット│     │     │     │     │     │     │     │     │
│する変│1.984│2.304│2.624│2.944│3.264│3.584│3.904│4.224│
│動時間│     │     │     │     │     │     │     │     │
├───┼──-┼──-┼──-┼──-┼──-┼──-┼──-┼──-┤
│低速変│     │     │     │     │     │     │     │     │
│動時の│     │     │     │     │     │     │     │     │
│図柄変│  7  │  8  │  9  │  10 │  11 │  12 │  13 │  14 │
│動数  │     │     │     │     │     │     │     │     │
└───┴──-┴──-┴──-┴──-┴──-┴──-┴──-┴──-┘
┌───┬──-┬──-┬──-┬───┬───┬───┬───┐
│右特別│     │     │     │      │      │      │      │
│停止図│     │     │     │      │      │      │      │
│柄デー│  8  │  9  │  10 │  11  │  12  │  13  │  14  │
│タの値│     │     │     │      │      │      │      │
├───┼──-┼──-┼──-┼───┼───┼───┼───┤
│セット│     │     │     │      │      │      │      │
│する変│4.544│4.864│5.184│5.504 │5.824 │6.144 │6.464 │
│動時間│     │     │     │      │      │      │      │
├───┼──-┼──-┼──-┼───┼───┼───┼───┤
│低速変│     │     │     │      │      │      │      │
│動時の│     │     │     │      │      │      │      │
│図柄変│  15 │  16 │  17 │  18  │  19  │  20  │  21  │
│動数  │     │     │     │      │      │      │      │
└───┴──-┴──-┴──-┴───┴───┴───┴───┘
【００６５】
右特別図柄の変動時間は中，左，特別図柄が大当たりの条件を満たしていないときには０．３２０秒間で６．７８４秒から８．０６４秒までの何れかとなり、中，左特別図柄が大当たりの条件を満たしているときには０．３２０秒間隔で８．７０４秒から１９．２６４秒までの３４通りの時間のうちの何れかとなる。
【００６６】
右特別図柄の停止時からＣ秒（Ｃ＝０．６００）後に図柄の判定が行われ、停止した左，中，右特別図柄の組合せが大当たりであるか否かが判定される。
【００６７】
左，中，右特別図柄の組合せのうち、表７に示す１５通りの組合せが大当たりとなる。
（表７）
┌────┬───┬────┐  ┌────┬────┬────┐
│左特別  │中特別│右特別  │  │左特別  │中特別  │右特別  │
│図柄    │図柄  │図柄    │  │図柄    │図柄    │図柄    │
├────┼───┼────┤  ├────┼────┼────┤
│３２１０│  ０  │０１２３│  │ＵＬ９８│  ８    │８９ＬＵ│
├────┼───┼────┤  ├────┼────┼────┤
│４３２１│  １  │１２３４│  │ＣＵＬ９│  ９    │９ＬＵＣ│
├────┼───┼────┤  ├────┼────┼────┤
│５４３２│  ２  │２３４５│  │ＫＣＵＬ│  Ｌ    │ＬＵＣＫ│
├────┼───┼────┤  ├────┼────┼────┤
│６５４３│  ３  │３４５６│  │ＹＫＣＵ│  Ｕ    │ＵＣＫＹ│
├────┼───┼────┤  ├────┼────┼────┤
│７６５４│  ４  │４５６７│  │０ＹＫＣ│  Ｃ    │ＣＫＹ０│
├────┼───┼────┤  ├────┼────┼────┤
│８７６５│  ５  │５６７８│  │１０ＹＫ│  Ｋ    │ＫＹＯ１│
├────┼───┼────┤  ├────┼────┼────┤
│９８７６│  ６  │６７８９│  │２１０Ｙ│  Ｙ    │Ｙ０１２│
├────┼───┼────┤  └────┴────┴────┘
│Ｌ９８７│  ７  │７８９Ｌ│
└────┴───┴────┘
【００６８】
ゲームに際し、図柄表示体列８０の左，中，右特別図柄の組合せが大当たりと判定された場合には図柄判定時から２．５０４秒に大入賞口５１が２．０００秒の間隔で１６回反復して開閉され、大入賞口５１は各回共２９．５００秒間開放される。
【００６９】
大入賞口５１が２９．５００秒開放されている間に大入賞口５１内へ入賞球が１０個入球した場合にはその時点で大入賞口５１が閉鎖される。
大入賞口５１の開放中に入賞球が特典球通し口７０内を通り抜けると、大入賞口５１がその閉鎖後再度開放され、大入賞口５１は再び１６回反復して開閉される。この大入賞口５１の反復開閉は初回を含めて最高１６回まで繰り返しが可能となっている。
【００７０】
大入賞口５１の１回の開放中に入賞球が特典球通し口７０内を１個通り抜けると、その時点で特典球通し口７０が閉鎖され、大入賞口５１がその閉鎖後再び開放されたときに特典球通し口６９が再び開放される。
【００７１】
大当り終了後に始動口５６への入賞が記憶されている場合には大入賞口５１の最終閉鎖時から２．００４秒に記憶数が１減算され、図柄表示体列８０の左，中，右特別図柄が変動を開始する。
【００７２】
図柄表示体列８０で表示する図柄としては上記実施例の他様々な図柄が表示され、例えば図１３に示すようなゲーム説明に関する日本語の文字列，片仮名，平仮名，漢字等が左方から右方へ流れ表示される。図１３に示す例では「ユウギセツメイ→→アタリズガハラ→→３２／０００／２３→４３２１１１２３４→５４３２２２３４５→…１０ＹＫＫＫＹ０１→２１０ＹＹＹ０１２→ノクミアワセデス」等の文字列が流れ表示される。
【００７３】
この場合、パチンコ機の電源投入と同時にゲーム説明に関する識別情報を図柄表示体列８０によって常時横方向へ流れ表示し、遊技者がハンドル操作すると同時に操作検出スイッチ（図示しない）がゲームの開始を検出し、上記ゲーム説明を停止するようにしてもよい。
【００７４】
また、本例では色彩と寸法が異なるドットＬＥＤを組合わせて図柄表示体列８０を形成したが、これとは別に色彩と形状が異なる液晶表示体を使用し、または表示管（ブラウン管，蛍光表示管）を組合わせて識別情報を表示するようにしてもよい。
【００７５】
続いて、上記した構成をもつ実施例の作用と効果を説明する。
本例では表示装置Ｈには縦横方向へ配列されて点滅制御が可能な１群のドットＬＥＤの図柄表示素子をそれぞれ有する９個のドットマトリックス図柄表示体７７が遊技盤面１１ａの後方で横方向へ広範囲にわたって配列されて横長状に形成された図柄表示体列８０を設けてある。
【００７６】
このため、図柄表示体列８０が遊技者に向けて表示する各種の識別情報を遊技者に対して明確かつ詳細に伝達することができ、また、図柄表示体列８０によって遊技者に提供する情報量を増大させかつ情報内容を多様化することができる。
従って、図柄表示体列８０によってゲームの進行を円滑化および多様化したり、ゲーム内容を高度化することができる。
【図面の簡単な説明】
【００７７】
【図１】本発明の１実施例を示す表示装置の正面図である。
【図２】同じく、平面図である。
【図３】遊技盤の正面図である。
【図４】遊技盤の裏面図である。
【図５】入賞装置の正面図である。
【図６】図１のＸ１−Ｘ１線断面図である。
【図７】図１のＸ２−Ｘ２線断面図である。
【図８】仕切片付近の分解斜視図である。
【図９】表示体基板および中継基板の裏面図である。
【図１０】パチンコ機の電気回路のブロック図である。
【図１１】特別図柄の変動時間を示すタイムチャートである。
【図１２】コの字を表示した状態を示すドットマトリックス図柄表示体の正面図である。
【図１３】図柄表示体列で表示される文字列の例を示す図柄表示体列の正面図である。
【符号の説明】
【００７８】
１１ａ  遊技盤面
７７    ドットマトリックス図柄表示体
８０    図柄表示体列
Ｈ      表示装置
【図１】
2005058795.tif 000003
【図２】
2005058795.tif 000004
【図３】
2005058795.tif 000005
【図４】
2005058795.tif 000006
【図５】
2005058795.tif 000007
【図６】
2005058795.tif 000008
【図７】
2005058795.tif 000009
【図８】
2005058795.tif 000010
【図９】
2005058795.tif 000011
【図１０】
2005058795.tif 000012
【図１１】
2005058795.tif 000013
【図１２】
2005058795.tif 000014
【図１３】
2005058795.tif 000015